(57)【特許請求の範囲】
【請求項１】
建築基礎の屋外側立上り面に設けられる勝手口ポーチであって、断面略Ｕ字形の土台の開口部側を上に向けて勝手口下方に設置するとともに、前記土台の開口部を跨ぐようにして２つの側板に第１止め具の両端を着脱自在に取付け、更に該第１止め具上に床板を載置して、該床板に設けた第２止め具と前記第１止め具を固定具で連結固定することにより形成されることを特徴とする勝手口ポーチ。
【請求項２】
前記第１止め具が、その両端に前記土台の側板を挟持する挟持片と、その中央部に前記固定具を挿通させるための挿通孔を有する床板固定金具であり、前記第２止め具が、前記床板の底面に埋設されたインサートナットであることを特徴とする請求項１に記載の勝手口ポーチ。
【請求項３】
前記土台の側板の上面に緩衝材を取付けたことを特徴とする請求項１乃至または請求項２に記載の勝手口ポーチ。
【請求項４】
前記床板の表面に屋外側立上り面と同様の模様が施されたことを特徴とする請求項１乃至請求項３のいずれかに記載の勝手口ポーチ。
【発明の詳細な説明】
【０００１】
【発明の属する技術分野】
本発明は、住宅の勝手口ポーチの改良に関するものである。
【０００２】
【従来の技術】
従来の勝手口ポーチ２５は、図１２に示すように、湿式工法によって勝手口Ａの下方の建築基礎Ｂと一体的に形成されており、施工の際には、建築基礎Ｂの手前の設置地盤Ｄ上に型枠を組んでコンクリートを流し込み、コンクリート硬化後に型枠を解体し、コンクリートブロックの表面にモルタル仕上げがおこなわれるようになっていた。
【０００３】
【発明が解決しようとする課題】
このように従来の勝手口ポーチ２５は、設置場所が狭いにもかかわらず湿式施工によるために施工工程が多くなり、乾燥期間を確保しなければならないという問題点があった。
また、勝手口ポーチ２５の直下にガス管や水道管を通すことが多いため、勝手口ポーチ２５が配管工事の日程に左右されて、玄関ポーチとの同時施工が困難になり、急な日程の変更に対応できずに手戻り工事が多くなるという問題点があった。
そして、手戻り工事が多くなることにより、発注原価よりもコストアップになるケースが発生するという問題点があった。
更に、勝手口ポーチ２５の設置地盤Ｄが軟弱地盤の場合には、勝手口ポーチ２５の経年的な沈下により建築基礎Ｂとの縁切れが生じるという問題点があった。
【０００４】
【課題を解決するための手段】
本発明は、前記課題に鑑みてなされたものであって、施工及び組立てを容易におこなうことができ、かつ、経年的な不具合を解決することができる勝手口ポーチを提供することを目的とするものである。
【０００５】
請求項１に記載の勝手口ポーチは、建築基礎の屋外側立上り面に設けられる勝手口ポーチであって、断面略Ｕ字形の土台の開口部側を上に向けて勝手口下方に設置するとともに、前記土台の開口部を跨ぐようにして２つの側板に第１止め具の両端を着脱自在に取付け、更に該第１止め具上に床板を載置して、該床板に設けた第２止め具と前記第１止め具を固定具で連結固定することにより形成されることを特徴とするものである。
【０００６】
請求項２に記載の勝手口ポーチは、前記第１止め具が、その両端に前記土台の側板を挟持する挟持片と、その中央部に前記固定具を挿通させるための挿通孔を有する床板固定金具であり、前記第２止め具が、前記床板の底面に埋設されたインサートナットであることを特徴とするものである。
【０００７】
請求項３に記載の勝手口ポーチは、土台の側板の上面に緩衝材を取付けたことを特徴とするものである。
【０００８】
請求項４に記載の勝手口ポーチは、床板の表面に屋外側立上り面と同様の模様が施されたことを特徴とするものである。
【０００９】
【発明の実施の形態】
以下、本発明の実施の形態について図面に基づいて説明する。
本発明にかかる勝手口ポーチ１は、図１に示すように、建築基礎Ｂの屋外側立上り面Ｃに設けられる勝手口ポーチであって、断面略Ｕ字形の土台２の開口部側を上に向けて勝手口Ａ下方に設置するとともに、該土台２の開口部を跨ぐようにして２つの側板３に第１止め具４の両端を着脱自在に取付け、図２、図３に示すように、第１止め具４上に床板５を載置して、該床板５の底面６に設けた第２止め具７と前記第１止め具４を連結することにより形成されている。以下、更に詳細に説明する。
【００１０】
前記土台２は、図３、図４に示すように、断面略Ｕ字形であり、左右両側に位置する側板３と、該側板３を繋ぐ底板８とから構成されている。
前記床板５は、図２に示すように、略直方体のコンクリート片であり、前記床板５の上面９には、前記屋外側立上り面Ｃと同様の模様が施され、また図３に示すように、底面６の所定位置には、第２止め具７としてインサートナット１０が、そのボルト孔１１と前記底面６とが略同一面となるように埋設されて構成されている。
【００１１】
前記床板５は、図２に示すように、略直方体のコンクリート片であり、前記床板５の上面９には、前記屋外側立上り面Ｃと同様の模様が施され、また図３に示すように、底面６の所定位置には、第２止め具７としてインサートナット１０が、そのボルト孔１１と前記底面６とが略同一面となるように埋設されて構成されている。
【００１２】
次に、前記勝手口ポーチ１の施工手順について説明する。
まず、勝手口Ａの下方を、図５、図６に示すように、設置地盤Ｄから１００ｍｍ程度掘削し、その掘削面Ｅをランマー等で転圧して締め固めた後、前記土台２の側板３が前記屋外側立上り面Ｃと略直角となり、かつ、建築基礎Ｂの屋外側立上り面Ｃから５０ｍｍ程度の間隔Ｆを設けるように、前記土台２を所定の間隔をもって並設させ、土を埋め戻す。このとき、前記掘削面Ｅにモルタルを流し込んでもよい。これにより、並設された土台２が一体となるので、安定性を向上させることができる。
【００１３】
次に、図４に示すように、前記土台２の側板３の所定位置に、前記第１止め具４である床板固定金具１２の挟持片１３を上方から挟み込み、該挟持片１３に設けられている取付孔１４に、ボルトあるいは蝶ボルト等の固定具１５を両側から螺合させることにより、前記土台２に前記床板固定金具１２を固定する。
【００１４】
このとき、前記床板固定金具１２は、図７に示すように、全体が金属製の薄板からなり、中央部分に固定具１５を挿通させるための挿通孔１６を備えた本体１７と、該本体１７の両端部分を前記土台２の側板３の幅を確保するように略直角に折り曲げて形成され、前記土台２の側板３を挟持するための挟持片１３と、前記床板固定金具１２を前記土台２に固定するために、前記挟持片１３に穿設された取付孔１４を備えている。
なお、前記床板固定金具１２は、前記第１止め具４の一例であり、前記土台２の側板３に好適に取付けることができれば、これに限定されない。
【００１５】
また、前記土台２の側板３の上面１８に、図１、図４に示すように、ゴム等の弾性力を有する緩衝材１９を、前記床板の４隅を支えるように貼着する。これにより、使用時における前記床板５のずれ、及び破損を防止する。
【００１６】
前記床板固定金具１２を前記土台２に取付けた後、図６に示すように、前記床板５の側面の破損を防ぐため、前記屋外側立上り面Ｃとの間に５ｍｍ程度の間隔Ｇを設けるとともに、図８に示すように、前記インサートナット１０のボルト孔１１と前記床板固定金具１２の挿通孔１６とがおおよそ合致するようにして、前記床板５を前記土台２の上に載置する。
そして、前記挿通孔１６及び座金２０に固定具２１を挿通させ、前記インサートナット１０に螺合させることにより、前記床板５を前記土台２に取付ける。
なお、前述の通り、前記床板固定金具１２及び前記インサートナット１０は、それぞれ第１止め具４及び第２止め具７の一例であり、前記土台２に好適に前記床板５を取付けることができればよく、例えば、図９に示すように、前記床板にボルト２２を埋設し、該ボルト２２を前記床板固定金具１２の挿通孔１６に挿通させ、ナット２３を螺合させることにより取付けてもよい。
【００１７】
次に、図１０、図１１に示すように、施工された前記勝手口ポーチ１の側方に背の低い勝手口ポーチ２４を配設する。
背の低い勝手口ポーチ２４の構成及び施工方法は、前記勝手口ポーチ１と同じであるので、前記勝手口ポーチ１と同一部分または相当部分に同符号を付して、その説明を省略する。なお、前記背の低い勝手口ポーチ２４の高さは、約２００ｍｍであり、前記勝手口ポーチ１の高さは、約４００ｍｍである。
【００１８】
なお、勝手口ポーチの構造は、これに限定されるものではなく、例えば、前記背の低い勝手口ポーチ２４を前記勝手口ポーチ１の両側に配設して両側から昇降することができるようにしてもよく、あるいは、前記土台２を幅方向に増設させて勝手口Ａの側方にごみ容器置き場等に利用するための載置スペースを形成させる等の変更は自由におこなえるものとする。
【００１９】
【発明の効果】
以上説明したように、本発明の請求項１によれば、建築基礎の屋外側立上り面に設けられる勝手口ポーチであって、断面略Ｕ字形の土台の開口部側を上に向けて勝手口下方に設置するとともに、該土台の開口部を跨ぐようにして２つの側板に第１止め具の両端を着脱自在に取付け、更に該第１止め具上に床板を載置して、該床板に設けた第２止め具と前記第１止め具を固定具で連結固定することにより形成されるようにしたので、乾式施工が可能となり、前記勝手口ポーチの軽量化を図ることができるという利点がある。
また、配管工事の日程に左右されることがないので、手戻り工事をなくすことができるという利点がある。
そして、建築基礎の屋外側立上り面に、床板フレームを固定具にて取付ける構造としているので、建築基礎の縁切りが発生しないという利点がある。
更に、コスト面でも発注原価を超えることがないという利点がある。
【００２０】
本発明の請求項２によれば、前記第１止め具が、その両端に前記土台の側板を挟持する挟持片と、その中央部に前記固定具を挿通させるための挿通孔を有する床板固定金具であり、前記第２止め具が、前記床板の底面に埋設されたインサートナットであるので、施工自体が容易になり、施工業者が一人であっても施工が可能になるという利点がある。
【００２１】
本発明の請求項３によれば、前記土台の側板の上面に緩衝材を取付けるようにしたので、使用時の床板のずれ及び破損を防ぐことができるという利点がある。
【００２２】
本発明の請求項４によれば、前記床板の表面に屋外側立上り面と同様の模様が施されているので、意匠性を向上させることができるという利点がある。
【図面の簡単な説明】
【図１】本発明の勝手口ポーチの床板を取り除いた状態を示す斜視図である。
【図２】本発明の勝手口ポーチを示す斜視図である。
【図３】図２のＸ−Ｘ断面の一部分を示す断面図である。
【図４】土台及び第１止め具の一例を示す参考図である。
【図５】本発明の勝手口ポーチの施工工程を示す正面図である。
【図６】本発明の勝手口ポーチの施工工程を示す側面図である。
【図７】第１止め具の一例である床板固定金具を示す斜視図である。
【図８】床板の取付手順を示す図２のＸ−Ｘ断面の一部分を示す断面図である。
【図９】他の止め具を用いた床板の取付手順を示す図２のＸ−Ｘ断面の一部分を示す断面図である。
【図１０】背の低い勝手口ポーチを配設した状態を示す斜視図である。
【図１１】背の低い勝手口ポーチを配設した状態を示す正面図である。
【図１２】従来の勝手口ポーチを示す斜視図である。
【符号の説明】
１  勝手口ポーチ
２  土台
３  土台の側板
４  第１止め具
５  床板
６  底面
７  第２止め具
８  底板
１０  インサートナット
１１  インサートナットのボルト孔
１２  床板固定金具
１３  床板固定金具の挟持片
１４  床板固定金具の挟持片の取付孔
１６  床板固定金具の本体の挿通孔
１７  床板固定金具の本体
１８  土台の側面の上面
１９  緩衝材
２０  座金
２１  固定具
２４  背の低い勝手口ポーチ
Ａ  勝手口
Ｂ  建築基礎
Ｃ  屋外側立上り面
Ｄ  設置地盤
Ｅ  掘削面
Ｆ  土台と屋外側立上り面との間隔
Ｇ  床板と屋外側立上り面との間隔
【図１】
0003743612.tif 000002
【図２】
0003743612.tif 000003
【図３】
0003743612.tif 000004
【図４】
0003743612.tif 000005
【図５】
0003743612.tif 000006
【図６】
0003743612.tif 000007
【図７】
0003743612.tif 000008
【図８】
0003743612.tif 000009
【図９】
0003743612.tif 000010
【図１０】
0003743612.tif 000011
【図１１】
0003743612.tif 000012
【図１２】
0003743612.tif 000013